(57)【特許請求の範囲】
【請求項１】
記録媒体を収納する記録媒体収納部および電池を収納する電池収納部が形成された撮像装置本体と、
前記撮像装置本体に対して回動することで、前記記録媒体収納部を開閉する蓋部材とを有する撮像装置であって、
前記蓋部材に、前記撮像装置本体にそれぞれ軸支される一対の腕部を形成し、
前記撮像装置本体の前記一対の腕部に挟まれる領域であって、前記蓋部材が前記記録媒体収納部を閉じる位置にあるときには、前記電池収納部に対する前記電池の挿抜も不可能となり、前記記録媒体収納部に前記記録媒体を挿抜する方向と前記電池収納部に前記電池を挿抜する方向とが互いに異なるように、前記電池収納部を形成することを特徴とする撮像装置。
【請求項２】
前記蓋部材は前記撮像装置本体のグリップ部側に位置することを特徴とする請求項１に記載の撮像装置。
【発明の詳細な説明】
【０００１】
【発明の属する技術分野】
本発明は、着脱自在な記録媒体および電池を有する撮像装置、特にそれらのレイアウトに関するものである。
【０００２】
【従来の技術】
従来より、機構部の駆動信号の処理等を行なうための主電池とは別に、メモリのバックアップのようなあまり電力を消費しない用途に使用される副電池を備える装置が知られている。このような装置では、主電池の交換時にあっても日付／時刻が継続され、あるいはその他の設定が記憶される等の利点が得られる。
【０００３】
デジタルカメラなどの撮像装置もその一例であり、現状では副電池を備える機器が多く存在している。そして、この副電池は低消費電力であることから、以下のような特徴を有する。
すなわち、主電池に比べて小型電池が使用できる。また、主電池に比べて交換回数が少ない。また、主電池の交換と独立して交換可能でなくてはならないため、  主電池と別に配置される。
【０００４】
【発明が解決しようとする課題】
上述した従来例のように副電池を備える装置においては、如何なるときでも（たとえば電主池交換時）、日付、時刻、各種設定値が保存されるため利用者にとって 操作性に優れた装置を提供することができる。しかしながら、複数の電池を本体内に収納しなければならず、そのための独立した収納スペースを確保する必要があった。このことは、装置本体の小型化が進む現今、極めて重大な問題となっている。
【０００５】
本発明はかかる実情に鑑み、有効かつ効果的に小型化を図り、操作性や信頼性向上し得る撮像装置を提供することを目的とする。
【０００６】
【課題を解決するための手段】
本発明の撮像装置は、記録媒体を収納する記録媒体収納部および電池を収納する電池収納部が形成された撮像装置本体と、前記撮像装置本体に対して回動することで、前記記録媒体収納部を開閉する蓋部材とを有する撮像装置であって、前記蓋部材に、前記撮像装置本体にそれぞれ軸支される一対の腕部を形成し、前記撮像装置本体の前記一対の腕部に挟まれる領域であって、前記蓋部材が前記記録媒体収納部を閉じる位置にあるときには、前記電池収納部に対する前記電池の挿抜も不可能となり、前記記録媒体収納部に前記記録媒体を挿抜する方向と前記電池収納部に前記電池を挿抜する方向とが互いに異なるように、前記電池収納部を形成することを特徴とする。
【００１５】
【発明の実施の形態】
以下、図面に基づき、本発明による撮像装置の好適な実施の形態を説明する。図１は本発明装置における蓋部材の閉状態を示す図、図２は蓋部材の開状態を示す図である。図３は本発明装置の蓋部材開状態における記録媒体の挿抜の様子を示す図、図４本発明装置の蓋部材開状態における電池の挿抜の様子を示す図である。
【００１６】
図において、１はシャッタボタンであり、このシャッタボタン１の操作により被写体が撮像され、記録媒体に記録される。２はレンズ鏡筒部であり、この中に配置されている光学系により被写体像が撮像素子に結像される。その後、結像された像は、該撮像素子によって電気信号に変換され、装置本体内部で信号処理が施されるようになっている。
【００１７】
３は表示部であり、撮像する被写体像の確認や、撮像された画像の再生表示に用いられる。４はグリップ部であり、装置本体の把持部である。５は蓋部材であり、この部材を開状態にすることにより記録媒体の挿抜が可能になる。
【００１８】
また、５１および５２はそれぞれ上下の腕部であり、蓋部材５を支持するとともに回転中心部５３を中心にして蓋部材５を回動させる。
【００１９】
６は記録媒体であり、信号処理された被写体像が記録される。この記録媒体６は装置本体から着脱可能である。７は電池ホルダであり、後述する電池８を保持して装置本体内に収納する。電池８はメモリバックアップ用の副電池である。なお、図には示されていないが、この装置は機構部の駆動、信号処理等を行なうための主電池を備えている。
【００２０】
つぎに、図を用いて、本発明装置のレイアウトについて説明する。
図１において蓋部材５の概要を説明する。図示のように蓋部材５は、装置本体のグリップ部４側に位置しており、蓋部材５の長手方向の上端および下端に位置する一対の腕部５１，５２により、それらの先端の回転中心部５３を中心に回動可能に支持されている。図１では蓋部材５は閉状態であるが、回動して蓋部材５が開状態（図３）になることで記録媒体６が挿抜可能となる。なお、記録媒体６は、装置本体に設けられた挿抜口９ａを有する収納部９に矢印Ａのように挿抜される。そして、上下の腕部５１，５２に挟まれた本体の間隙に電池８が収納される。
【００２１】
このように各部材をレイアウトすることで、装置本体の間隙を有効利用することができ、装置本体を大型化することなく 電池８を収納することができることになる。この電池８がメモリバックアップ用の小型電池であることも、有利に働いている。
【００２２】
図２は蓋部材５の開状態を示し、さらに図４は電池８の挿抜を示している。これらの図により電池８の収納位置が明確にされている。図から明らかなように電池８は、装置本体（グリップ部４）に設けられた挿抜口１０ａを有する収納部１０に収納されるようになっている。また、蓋部材５を支持する腕部５１，５２はいずれか１本でも適正に機能するが、一対構成とし、しかも上端および下端に配したことにより、蓋部材５のバランスを良好にするとともに強度を向上し、安定動作に寄与する構造となっている。
【００２３】
つぎに、グリップ部４の形状は、外側に向かって凸形状になっている。この理由は、グリップ部４を把持に適した形状とすることで安定して把持し得るようにすることである。また同時に、間隙を拡大する結果になっている。つまりグリップ部４を膨出させることで、ホールド感の向上を確保するとともに電池収納スペースが拡大される。これにより大容量（大型）電池を収納可能にし、機能時間の長期化と収納位置の自由度（設計の自由度）の拡大を図るいうメリットが得られる。
【００２４】
なお、図４に示されるように、電池８としては扁平形状の市販電池を使用することが好ましい。かかる形状は、グリップ部４の形状（間隙）に即した形状であると同時に、一般に入手が容易であること等からより実用的である。
【００２５】
つぎに、電池８の挿抜について説明する。図４に示されるように、蓋部材５の開状態において、電池８を保持した電池ホルダ７を取り出し、矢印Ｂのように電池８を挿抜する構造となっている。この構造によれば、蓋部材５閉状態では電池８の挿抜は不可能である。この電池８はメモリバックアップ用であるから、主電池に比べて交換回数が少ない。そのため不用意に電池８が脱落してしまう構造よりも、このように蓋部材５を開けてから挿抜するという構造とすることで、信頼性の高い装置を実現することができる。
【００２６】
なお、上記実施形態における撮像装置として、典型的にはデジタルスチルカメラあるいはデジタルビデオカメラ等に本発明を適用可能である。これらの撮像装置は、撮像機能と撮像した画象の記録または再生機能を備えている。
【００２７】
【発明の効果】
以上説明したように本発明によれば、電池収納部を撮像装置本体に効率よく形成することができるとともに、蓋部材が記録媒体収納部を閉じるときには、電池を不用意に挿抜してしまうことを防止することができる。
【図面の簡単な説明】
【図１】本発明の実施形態における蓋部材の閉状態を示す斜視図である。
【図２】本発明の実施形態における蓋部材の開状態を示す斜視図である。
【図３】本発明の実施形態における記録媒体の挿抜の様子を示す斜視図である。
【図４】本発明の実施形態における電池の挿抜の様子を示す斜視図である。
【符号の説明】
１    シャッタボタン
２    鏡筒部
３    表示部
４    グリップ部
５    蓋部材
５１    腕部
５２    腕部
５３    回転中心部
６    記録媒体
７    電池ホルダ
８    電池
【図１】
0004536915.tif 000002
【図２】
0004536915.tif 000003
【図３】
0004536915.tif 000004
【図４】
0004536915.tif 000005